(57)【要約】【課題】生体組織に対して行う処置に費やされる時間を、従来に比べて短縮し得る撮像システムを提供する。【解決手段】本発明における撮像システムは、赤外領域の波長帯域を有する第１の光を発する第１の光源部と、前記第１の光源部を周期的に点灯及び消灯させるパルス駆動制御を行う光源制御部と、血管内に挿通することが可能である発光部を有し、前記第１の光源部により発せされた前記第１の光を前記発光部において出射する照明部と、前記照明部に略対向する位置において、前記血管の像を撮像する撮像部と、を有する。【選択図】図１
2007252440.tif 000002
【特許請求の範囲】
【請求項１】
赤外領域の波長帯域を有する第１の光を発する第１の光源部と、
前記第１の光源部を周期的に点灯及び消灯させるパルス駆動制御を行う光源制御部と、
血管内に挿通することが可能である発光部を有し、前記第１の光源部により発せされた前記第１の光を前記発光部において出射する照明部と、
前記照明部に略対向する位置において、前記血管の像を撮像する撮像部と、
を有することを特徴とする撮像システム。
【請求項２】
さらに、可視領域の波長帯域を有する第２の光を発する第２の光源部を有し、
前記光源制御部は、前記第２の光源部から発せされる前記第２の光の光量を前記第１の光源部から発せされる前記第１の光の光量に比べて小さくする出射光量制御を、前記パルス駆動制御に併せて行うことを特徴とする請求項１に記載の撮像システム。
【発明の詳細な説明】
【技術分野】
【０００１】
本発明は、撮像システムに関し、特に、血管走行の状態を得ることが可能な撮像システムに関するものである。
【背景技術】
【０００２】
近年、血液中に存在するヘモグロビンの光吸収特性に応じた波長帯域を有する赤外光を生体組織に対して照射することにより、該生体組織内部に関する情報として、例えば、血液中のヘモグロビン数、血管走行の状態等を得ることのできる機器が提案されている。
【０００３】
そして、前述したような生体組織内部に関する情報を得ることのできる機器として、例えば、特許文献１に提案されている撮像システムが提案されている。
【０００４】
特許文献１に提案されている撮像システムは、光源装置から出射された赤外光を内視鏡の先端部から出射することにより被写体としての生体組織等を照明し、照明された該生体組織等の像を内視鏡の先端部に設けられたＣＣＤ（電荷結合素子）を用いて撮像するという構成を有することにより、生体組織内部に関する情報として、血管走行の状態を得ることを可能としている。
【特許文献１】特開２００４−３５８０５１号公報
【発明の開示】
【発明が解決しようとする課題】
【０００５】
しかし、特許文献１に提案されている撮像システムは、被写体としての生体組織等に対して照射された赤外光の反射光による像を撮像する構成である。そのため、特許文献１に提案されている撮像システムを用いた場合、被写体としての生体組織等に対して照射した赤外光が、例えば、該生体組織内部に存在する脂肪等において散乱してしまうことにより、該生体組織の深部に存在する血管走行の状態を得ることが困難となることから、結果的に、該生体組織に対して行う処置に費やされる時間が長時間化してしまうという課題が生じている。
【０００６】
本発明は、前述した点に鑑みてなされたものであり、生体組織に対して行う処置に費やされる時間を、従来に比べて短縮し得る撮像システムを提供することを目的としている。
【課題を解決するための手段】
【０００７】
本発明における第１の撮像システムは、赤外領域の波長帯域を有する第１の光を発する第１の光源部と、前記第１の光源部を周期的に点灯及び消灯させるパルス駆動制御を行う光源制御部と、血管内に挿通することが可能である発光部を有し、前記第１の光源部により発せされた前記第１の光を前記発光部において出射する照明部と、前記照明部に略対向する位置において、前記血管の像を撮像する撮像部と、を有することを特徴とする。
【０００８】
本発明における第２の撮像システムは、前記第１の撮像システムにおいて、さらに、可視領域の波長帯域を有する第２の光を発する第２の光源部を有し、前記光源制御部は、前記第２の光源部から発せされる前記第２の光の光量を前記第１の光源部から発せされる前記第１の光の光量に比べて小さくする出射光量制御を、前記パルス駆動制御に併せて行うことを特徴とする。
【発明の効果】
【０００９】
本発明における撮像システムによると、生体組織に対して行う処置に費やされる時間を、従来に比べて短縮することができる。
【発明を実施するための最良の形態】
【００１０】
以下、図面を参照して本発明の実施の形態を説明する。
【００１１】
（第１の実施形態）
図１及び図２は、本発明の第１の実施形態に係るものである。図１は、第１の実施形態に係る撮像システムの要部の構成の一例を示す図である。図２は、生体組織における血液及び脂肪の透過率特性を示す図である。
【００１２】
第１の実施形態の撮像システム１は、図１に示すように、生体内に挿入可能であり、該生体内に存在する生体組織１０１等の被写体の像を撮像するとともに、該被写体の像を撮像信号として出力する内視鏡２と、該被写体を照明するための照明光を供給する光源装置３と、内視鏡２から出力される撮像信号に応じた信号処理を行い、該信号処理を行った後の撮像信号を映像信号として出力するカメラコントロールユニット（以降、ＣＣＵと記す）４と、ＣＣＵ４から出力される映像信号に基づき、内視鏡２が撮像した被写体の像を画像表示するモニタ５と、光源装置３から供給される照明光を出射するファイババンドル８とを要部として有している。
【００１３】
内視鏡２は、生体組織１０１等の被写体の像を結像及び伝送する光学式内視鏡６と、光学式内視鏡６により伝送された該被写体の像を撮像するカメラヘッド７とを有して構成されている。
【００１４】
光学式内視鏡６は、生体内に挿入可能な硬性の挿入部６１と、挿入部６１の後端側に設けられた把持部６２と、把持部の後端側に設けられ、カメラヘッド７の着脱が可能である接眼部６３とを有している。
【００１５】
また、光学式内視鏡６は、挿入部６１の先端部に設けられ、生体組織１０１等の被写体の像を結像する対物光学系６４と、挿入部６１及び把持部６２の内部に挿通され、対物光学系６４により結像された該被写体の像を伝送するリレー光学系６５と、接眼部６３に設けられ、リレー光学系６５により伝送された被写体の像を集光する接眼光学系６６とを有している。
【００１６】
光学式内視鏡６が前述した構成を有するため、接眼部６３にカメラヘッド７が装着されていない状態において、ユーザは、接眼光学系６６を覗き込みながら、対物光学系６４の視野領域内に存在する所望の観察部位に対し、肉眼による観察を行うことができる。
【００１７】
カメラヘッド７は、接眼光学系６６により集光された生体組織１０１等の被写体の像を結像する撮像光学系７１と、撮像光学系７１により結像された該被写体の像を撮像し、撮像信号として出力する撮像素子７２とを有している。
【００１８】
撮像素子７２は、少なくとも１２００ｎｍの波長を超える赤外領域において感度を有する、例えばＥｘ．ＩｎＧａＡｓ、ＩｎＡｓまたはＩｎＳｂ等の半導体検出素子（光起電力型半導体検出素子）により形成されている。
【００１９】
光源装置３は、血液における光透過率が相対的に低く、かつ、脂肪における光透過率が相対的に高い波長帯域である、７５０ｎｍ以上の波長帯域を有する光を発する、光源部としてのランプ３１と、ランプ３１の点灯及び消灯を制御する、光源制御部としてのランプ制御部３２と、ランプ３１から発せられる光のうち、７５０ｎｍ以上の波長帯域を有する光のみを透過及び集光し、照明光としてファイババンドル８に対して供給する集光光学系３３とを有して構成されている。
【００２０】
照明部としてのファイババンドル８は、光源装置３と着脱可能なコネクタ部８１と、一端部がコネクタ部８１の内部に配置されるとともに、他端部がコネクタ部８１から延出して設けられたファイバ部８２とを有して構成されている。
【００２１】
発光部としてのファイバ部８２は、例えば、透明度が高く、かつ、柔軟性を有する樹脂等の部材により複数の光ファイバが被覆されているというような構成を有している。換言すると、ファイバ部８２は、例えば、コネクタ部８１内部に配置された部分を除く全体から、光源装置３により供給される照明光を出射可能な構成を有している。
【００２２】
また、ファイバ部８２は、生体組織１０１内部に挿入可能であるとともに、生体組織１０１内部に存在する血管１０３の内部に挿通可能な形状として、例えば、外径が１ｍｍ以下の細長な形状を有するように形成されている。
【００２３】
ＣＣＵ４は、サンプリング処理を行うことにより、内視鏡２から出力される撮像信号をデジタルの画像信号に変換する処理を行うサンプリング処理部４１と、該画像信号に対して高速フーリエ変換等の信号処理を行うことによりノイズを除去した後、該画像信号をアナログの映像信号に変換して出力する信号処理部４２と、カメラヘッド７の撮像素子７２を駆動するための駆動信号を出力する撮像素子駆動部４３とを有して構成されている。
【００２４】
次に、撮像システム１の作用について説明を行う。
【００２５】
まず、ユーザは、内視鏡２、光源装置３、ＣＣＵ４及びモニタ５の各部の電源を投入し、該各部を駆動状態とする。
【００２６】
その後、ユーザは、接眼部６３にカメラヘッド７を装着した状態において、所望の観察部位に存在する生体組織１０１が対物光学系６４の視野領域内に入る位置に光学式内視鏡６を配置する。そして、ユーザは、光源装置３にコネクタ部８１が装着された状態において、生体組織１０１内部に存在する、血管走行の状態を得る対象となる血管１０３にファイバ部８２の少なくとも一部を挿通する。前述した各操作をユーザが行うことにより、対物光学系６４及びファイバ部８２の一部は、例えば、図１に示すように、血管１０３を覆うように存在する脂肪１０２を挟んで略対向する位置に配置される。
【００２７】
光源装置３のランプ制御部３２は、駆動状態において、ランプ３１を周期的に点灯及び消灯させる制御である、パルス駆動制御を行う。
【００２８】
ランプ３１が前記パルス駆動制御に基づいて発光することにより、光源装置３は、７５０ｎｍ以上の波長帯域の光を、パルス状の照明光としてファイババンドル８に対して供給する。すなわち、光源装置３は、７５０ｎｍ以上の波長帯域の光をパルス状に出射することにより、血管１０３内部を流れる血液における光透過率が相対的に低く、かつ、脂肪１０２における光透過率が相対的に高いという、７５０ｎｍ以上の波長帯域の光が有する特性に、脂肪１０２における散乱が発生しにくいという特性をさらに付加した照明光を、ファイババンドル８に対して供給する。
【００２９】
ファイバ部８２は、光源装置３から供給されるパルス状の照明光に基づいて点滅しながら、血管１０３を内部から照明する。
【００３０】
ファイバ部８２から出射される照明光により照明された血管１０３の像は、脂肪１０２を透過し、対物光学系６４において結像され、リレー光学系６５、接眼光学系６６及び撮像光学系７１を経て、撮像素子７２により撮像された後、撮像信号としてＣＣＵ４に対して出力される。
【００３１】
そして、ＣＣＵ４に出力された撮像信号は、サンプリング処理部４１及び信号処理部４２において各々処理が施された後、映像信号としてモニタ５に対して出力される。これにより、モニタ５には、血管１０３の血管走行の状態が明確となった、生体組織１０１及び血管１０３の像が画像表示される。そして、術者等は、モニタ５に画像表示される、生体組織１０１及び血管１０３の像を見ながら、生体組織１０１に対する処置を、従来に比べて短い時間により行うことができる。
【００３２】
なお、本実施形態において、光源装置３は、例えば、図２に示すように、脂肪１０２における光透過率と血管１０３を流れる血液における光透過率との差が大きくなる波長帯域である、１３００ｎｍから１６００ｎｍまでの波長帯域、または、１７００ｎｍから２１００ｎｍまでの波長帯域のうち、少なくともいずれか一方の波長帯域の光のみを透過させるバンドパスフィルタ３９を、集光光学系３３の光出射側に有するものであっても良い。
【００３３】
そして、光源装置３がバンドパスフィルタ３９を有する場合、モニタ５には、血管１０３の血管走行の状態がさらに明確となった、生体組織１０１及び血管１０３の像が画像表示される。
【００３４】
（第２の実施形態）
図３は、本発明の第２の実施形態に係るものである。なお、第１の実施形態と同様の構成要素については、同一の符号を用いて説明は省略する。
【００３５】
図３は、第２の実施形態に係る撮像システムの要部の構成の一例を示す図である。
【００３６】
第２の実施形態の撮像システム１Ａは、図３に示すように、生体内に挿入可能であり、該生体内に存在する生体組織１０１等の被写体の像を撮像するとともに、該被写体の像を撮像信号として出力する内視鏡２Ａと、該被写体を照明するための照明光を供給する光源装置３Ａと、内視鏡２Ａから出力される撮像信号に応じた信号処理を行い、該信号処理を行った後の撮像信号を映像信号として出力するＣＣＵ４Ａと、ＣＣＵ４Ａから出力される映像信号に基づき、内視鏡２Ａが撮像した被写体の像を画像表示するモニタ５と、光源装置３Ａから供給される照明光を出射するファイババンドル８とを要部として有している。
【００３７】
内視鏡２Ａは、生体組織１０１等の被写体の像を結像及び伝送する光学式内視鏡６Ａと、光学式内視鏡６Ａにより伝送された該被写体の像を撮像するカメラヘッド７Ａとを有して構成されている。
【００３８】
光学式内視鏡６Ａは、生体内に挿入可能な硬性の挿入部６１と、挿入部６１の後端側に設けられた把持部６２と、把持部の後端側に設けられ、カメラヘッド７の着脱が可能である接眼部６３とを有している。
【００３９】
また、光学式内視鏡６Ａは、挿入部６１の先端部に設けられ、生体組織１０１等の被写体の像を結像する対物光学系６４と、挿入部６１及び把持部６２の内部に挿通され、対物光学系６４により結像された該被写体の像を伝送するリレー光学系６５と、接眼部６３に設けられ、リレー光学系６５により伝送された被写体の像を集光する接眼光学系６６とを有している。
【００４０】
さらに、光学式内視鏡６Ａは、光源装置３Ａから供給される照明光を内視鏡２Ａに伝送するライトガイドケーブル６７と、挿入部６１及び把持部６２の内部に挿通され、光源装置３Ａからライトガイドケーブル６７を介して供給される照明光を挿入部６１の先端部に伝送するライトガイド６８とを有して構成されている。
【００４１】
ライトガイドケーブル６７は、光源装置３Ａに着脱可能な構成を有するライトガイドコネクタ部６７ａが一端側に設けられている。また、ライトガイドケーブル６７は、把持部６２の側部に設けられた口金６２ａに着脱可能であるような構成を他端側に有している。
【００４２】
カメラヘッド７Ａは、接眼光学系６６により集光された生体組織１０１等の被写体の像を結像する撮像光学系７１と、撮像光学系７１により結像された該被写体の像を撮像し、撮像信号として出力する撮像ユニット７５と、撮像システム１Ａにおける観察モードを切り替えるための、観察モード切替指示信号を出力する観察モード切替スイッチ７６とを有して構成されている。
【００４３】
観察モード切替スイッチ７６は、ユーザの操作により、撮像システム１Ａにおける観察モードを、肉眼による観察と略同様の被写体の像の画像を得ることが可能である通常観察モードと、所望の観察部位における血管走行の状態を得ることが可能である赤外光観察モードとのうち、いずれか一の観察モードに切り替えるための観察モード切替指示信号を出力する。
【００４４】
撮像ユニット７５は、第１の実施形態と同様の構成を有する撮像素子７２と、ＣＣＤ（電荷結合素子）等により構成された撮像素子７３と、観察モード切替スイッチ７６から出力される観察モード切替指示信号に基づき、撮像素子７２及び７３のうち、いずれか一方の撮像素子を撮像光学系７１の結像位置に配置する撮像素子切替部７４とを有して構成されている。
【００４５】
撮像素子切替部７４は、観察モード切替スイッチ７６から出力される観察モード切替指示信号に基づき、例えば、撮像システム１Ａにおける観察モードが通常観察モードであることを検出すると、撮像素子７２を撮像光学系７１の結像位置から外れた位置に配置するとともに、撮像素子７３を撮像光学系７１の結像位置に配置する。また、撮像素子切替部７４は、観察モード切替スイッチ７６から出力される観察モード切替指示信号に基づき、例えば、撮像システム１Ａにおける観察モードが赤外光観察モードであることを検出すると、撮像素子７３を撮像光学系７１の結像位置から外れた位置に配置するとともに、撮像素子７２を撮像光学系７１の結像位置に配置する。
【００４６】
光源装置３は、第１の実施形態と同様の構成を有するランプ３１と、第１の実施形態と同様の構成を有する集光光学系３３と、可視領域の波長帯域を有する光を発する、光源部としてのランプ３４と、ランプ３４から発せられる光を集光し、照明光としてライトガイドケーブル６７に対して供給する集光光学系３５と、ランプ３１及びランプ３４の点灯及び消灯を制御するランプ制御部３２Ａとを有して構成されている。
【００４７】
ランプ制御部３２Ａは、観察モード切替スイッチ７６からＣＣＵ４Ａを介して出力される、観察モード切替指示信号に基づき、例えば、撮像システム１Ａにおける観察モードが通常観察モードであることを検出すると、ランプ３１を消灯させるとともに、ランプ３４を連続的に点灯させるための制御を行う。また、ランプ制御部３２Ａは、観察モード切替スイッチ７６からＣＣＵ４Ａを介して出力される、観察モード切替指示信号に基づき、例えば、撮像システム１Ａにおける観察モードが赤外光観察モードであることを検出すると、ランプ３１を周期的に点灯及び消灯させる制御である、パルス駆動制御を行う。さらに、ランプ制御部３２Ａは、赤外光観察モードにおいて、ランプ３１及びランプ３４から出射される各々の光の光量を随時監視しつつ、ランプ３４から出射される光の光量を、ランプ３１から出射される照明光の光量に比べて小さくする制御である、ランプ３１及びランプ３４に対する出射光量制御を前記パルス駆動制御に併せて行う。
【００４８】
ＣＣＵ４Ａは、サンプリング処理を行うことにより、内視鏡２Ａから出力される撮像信号をデジタルの画像信号に変換する処理を行うサンプリング処理部４１と、該画像信号に対して高速フーリエ変換等の信号処理を行うことによりノイズを除去した後、該画像信号をアナログの映像信号に変換して出力する信号処理部４２と、カメラヘッド７の撮像ユニット７５が有する撮像素子７２及び７３を各々駆動するための駆動信号を出力する撮像素子駆動部４３Ａとを有して構成されている。
【００４９】
次に、撮像システム１Ａの作用について説明を行う。
【００５０】
まず、ユーザは、内視鏡２Ａ、光源装置３Ａ、ＣＣＵ４Ａ及びモニタ５の各部の電源を投入し、該各部を駆動状態とする。なお、前記駆動状態直後において、前記各部は、通常観察モードとして設定されているものであるとする。
【００５１】
その後、ユーザは、接眼部６３にカメラヘッド７Ａを装着した状態において、所望の観察部位に存在する生体組織１０１が対物光学系６４の視野領域内に入る位置に光学式内視鏡６Ａを配置する。
【００５２】
光源装置３Ａのランプ制御部３２Ａは、観察モード切替指示信号に基づき、撮像システム１Ａにおける観察モードが通常観察モードであることを検出すると、ランプ３１を消灯させるとともに、ランプ３４を連続的に点灯させるための制御を行う。ランプ制御部３２Ａが前述した制御を行うことにより、光源装置３Ａは、通常観察モードにおいては、可視領域の波長帯域の光を、照明光としてライトガイドケーブル６７に対して供給する。
【００５３】
また、カメラヘッド７Ａの撮像素子切替部７４は、観察モード切替指示信号に基づき、撮像システム１Ａにおける観察モードが通常観察モードであることを検出すると、撮像素子７２を撮像光学系７１の結像位置から外れた位置に配置するとともに、撮像素子７３を撮像光学系７１の結像位置に配置する。
【００５４】
可視領域の波長帯域を有する照明光は、ライトガイドケーブル６７と、ライトガイド６８とを介し、生体組織１０１に対して出射される。そして、対物光学系６４は、前記可視領域の波長帯域を有する照明光により照明された、生体組織１０１の像を結像する。
【００５５】
対物光学系６４において結像された生体組織１０１の像は、リレー光学系６５、接眼光学系６６及び撮像光学系７１を経て、撮像光学系７１の結像位置に配置された、撮像素子７３により撮像された後、撮像信号としてＣＣＵ４Ａに対して出力される。
【００５６】
そして、ＣＣＵ４Ａに出力された撮像信号は、サンプリング処理部４１及び信号処理部４２において各々処理が施された後、映像信号としてモニタ５に対して出力される。これにより、モニタ５には、肉眼による観察と略同様の被写体の像である、生体組織１０１の像が画像表示される。
【００５７】
ユーザは、モニタ５に画像表示される生体組織１０１の像を見ながら、所望の観察部位が対物光学系６４の視野領域内に入る位置に光学式内視鏡６を配置する。そして、ユーザは、光源装置３Ａにコネクタ部８１が装着された状態において、生体組織１０１内部に存在する、血管走行の状態を得る対象となる血管１０３にファイバ部８２の少なくとも一部を挿通する。前述した各操作をユーザが行うことにより、対物光学系６４及びファイバ部８２の一部は、例えば、図３に示すように、血管１０３を覆うように存在する脂肪１０２を挟んで略対向する位置に配置される。前述した各操作を行った後、ユーザは、観察モード切替スイッチ７６を操作することにより、撮像システム１Ａにおける観察モードを、通常観察モードから赤外光観察モードへと切り替える。
【００５８】
観察モード切替スイッチ７６は、ユーザに操作されると、撮像システム１Ａにおける観察モードを、通常観察モードから赤外光観察モードへと切り替えるための、観察モード切替指示信号を、光源装置３Ａのランプ制御部３２Ａ及びカメラヘッド７Ａの撮像素子切替部７４に対して出力する。
【００５９】
光源装置３Ａのランプ制御部３２Ａは、観察モード切替指示信号に基づき、撮像システム１Ａにおける観察モードが赤外光観察モードであることを検出すると、前述したパルス駆動制御をランプ３１に対して行うとともに、前述した出射光量制御をランプ３１及びランプ３４に対して行う。ランプ制御部３２Ａが前述した制御を行うことにより、赤外光観察モードにおいては、照明光として、７５０ｎｍ以上の波長帯域の光がパルス状にファイババンドル８に対して供給されるとともに、該７５０ｎｍ以上の波長帯域の光よりも光量の小さい可視領域の波長帯域の光がライトガイドケーブル６７に対して供給される。
【００６０】
また、カメラヘッド７Ａの撮像素子切替部７４は、観察モード切替指示信号に基づき、撮像システム１Ａにおける観察モードが赤外光観察モードであることを検出すると、撮像素子７３を撮像光学系７１の結像位置から外れた位置に配置するとともに、撮像素子７２を撮像光学系７１の結像位置に配置する。
【００６１】
ファイバ部８２は、光源装置３から供給されるパルス状の照明光に基づいて点滅しながら、血管１０３を内部から照明する。
【００６２】
また、可視領域の波長帯域を有する照明光は、ライトガイドケーブル６７と、ライトガイド６８とを介し、生体組織１０１に対して出射される。このとき、前記可視領域の波長帯域を有する照明光は、血管走行の状態を得る対象となる血管１０３の像と、該血管１０３以外の像とのコントラストをより良くするような作用、すなわち、ファイバ部８２からパルス状に出射される７５０ｎｍ以上の波長帯域の光に対する背景光としての作用を有する。
【００６３】
ファイバ部８２から出射される照明光により照明された血管１０３の像は、脂肪１０２を透過し、対物光学系６４において結像され、リレー光学系６５、接眼光学系６６及び撮像光学系７１を経て、撮像光学系７１の結像位置に配置された、撮像素子７２により撮像された後、撮像信号としてＣＣＵ４Ａに対して出力される。
【００６４】
そして、ＣＣＵ４Ａに出力された撮像信号は、サンプリング処理部４１及び信号処理部４２において各々処理が施された後、映像信号としてモニタ５に対して出力される。これにより、モニタ５には、血管１０３の血管走行の状態が明確となった、生体組織１０１及び血管１０３の像が画像表示される。そして、術者等は、モニタ５に画像表示される、生体組織１０１及び血管１０３の像を見ながら、生体組織１０１に対する処置を、従来に比べて短い時間により行うことができる。
【００６５】
なお、本実施形態において、光源装置３Ａは、例えば、図２に示すように、脂肪１０２における光透過率と血管１０３を流れる血液における光透過率との差が大きくなる波長帯域である、１３００ｎｍから１６００ｎｍまでの波長帯域、または、１７００ｎｍから２１００ｎｍまでの波長帯域のうち、少なくともいずれか一方の波長帯域の光のみを透過させるバンドパスフィルタ３９を、集光光学系３３の光出射側に有するものであっても良い。
【００６６】
そして、光源装置３Ａがバンドパスフィルタ３９を有する場合、モニタ５には、血管１０３の血管走行の状態がさらに明確となった、生体組織１０１及び血管１０３の像が画像表示される。
【００６７】
なお、本発明は、上述した各実施形態に限定されるものではなく、発明の趣旨を逸脱しない範囲内において種々の変更や応用が可能であることは勿論である。
【図面の簡単な説明】
【００６８】
【図１】第１の実施形態に係る撮像システムの要部の構成の一例を示す図。
【図２】生体組織における血液及び脂肪の透過率特性を示す図。
【図３】第２の実施形態に係る撮像システムの要部の構成の一例を示す図。
【符号の説明】
【００６９】
１，１Ａ・・・撮像システム、２，２Ａ・・・内視鏡、３，３Ａ・・・光源装置、４，４Ａ・・・ＣＣＵ、５・・・モニタ、６，６Ａ・・・光学式内視鏡、７，７Ａ・・・カメラヘッド、８・・・ファイババンドル、３１，３４・・・ランプ、３２，３２Ａ・・・ランプ制御部、３３，３５・・・集光光学系、３９・・・バンドパスフィルタ、４１・・・サンプリング処理部、４２・・・信号処理部、４３，４３Ａ・・・撮像素子駆動部、６１・・・挿入部、６２・・・把持部、６２ａ・・・口金、６３・・・接眼部、６４・・・対物光学系、６５・・・リレー光学系、６６・・・接眼光学系、６７・・・ライトガイドケーブル、６７ａ・・・ライトガイドコネクタ部、６８・・・ライトガイド、７１・・・撮像光学系、７２，７３・・・撮像素子、７４・・・撮像素子切替部、７５・・・撮像ユニット、７６・・・観察モード切替スイッチ、８１・・・コネクタ部、８２・・・ファイバ部、１０１・・・生体組織、１０２・・・脂肪、１０３・・・血管
【図１】
2007252440.tif 000003
【図２】
2007252440.tif 000004
【図３】
2007252440.tif 000005